(57)【要約】【課題】管理システムを操作する複数のユーザが存在する場合に、設定データおよび計測データをユーザ毎に管理し、観点の異なる複数のユーザの意向を反映し同時に満たすことのできるデータ管理方法、管理システム、管理プログラム、および該プログラムを記録した記録媒体を提供する。【解決手段】アプリケーションやサービスを管理し、またはコンピュータ機器やネットワーク機器を管理する管理システム１などにおいて、管理システム１を操作可能なユーザのアカウントを複数用意し、被管理対象７Ａ〜７Ｎの管理形態を指定する設定データをアカウント毎に関連付けて管理し、ユーザによりアカウントが入力されると、アカウントに関連付けられた設定データに基づいて被管理対象７Ａ〜７Ｎの管理を実行し、その実行結果である計測データをアカウントに関連付けて管理する。【選択図】        図２
2004341628.tif 000002
【特許請求の範囲】
【請求項１】
アプリケーション、サービス、コンピュータ装置、ネットワーク機器などの被管理対象を管理する管理システムにおいて、該管理システムを操作可能なユーザのアカウントを複数用意し、前記被管理対象の管理形態を指定する設定データを前記アカウント毎に関連付けて管理し、ユーザによりアカウントが入力されると、該アカウントに関連付けられた前記設定データに基づいて被管理対象の管理を実行し、該実行の結果である計測データを前記アカウントに関連付けて管理する、ことを特徴とするデータ管理方法。
【請求項２】
請求項１に記載のデータ管理方法において、ユーザによりアカウントの削除の要求が入力されると、該アカウントを削除するとともに、該アカウントに関連付けて管理されている設定データおよび計測データも削除する、ことを特徴とするデータ管理方法。
【請求項３】
請求項１または２に記載のデータ管理方法において、ユーザにより管理者用のアカウントが入力されると、予め格納されている管理者アカウントと合致するか否かを判断し、合致した場合には、管理者権限の無い一般のユーザのアカウントを新規に追加、または既に管理されているアカウントを修正若しくは削除する、ことを特徴とするデータ管理方法。
【請求項４】
請求項１から３のいずれか一項に記載のデータ管理方法において、ユーザによりアカウントを用いて設定データが入力されると、該設定データを新規の設定データとして前記アカウントに関連付けて追加し、または既に前記アカウントに関連付けて管理されている設定データを修正し、前記追加または修正された設定データに基づいて被管理対象の管理を実行し、該実行の結果である計測データを前記アカウントに関連付けて管理する、ことを特徴とするデータ管理方法。
【請求項５】
請求項１から４のいずれか一項に記載のデータ管理方法において、ユーザによりアカウントを用いて計測データの画面表示の要求が入力されると、前記アカウントに関連付けて管理されている計測データを検索してユーザ画面に表示する、ことを特徴とするデータ管理方法。
【請求項６】
アプリケーション、サービス、コンピュータ装置、ネットワーク機器などの被管理対象を管理する管理システムにおいて、該管理システムを操作可能なユーザのアカウントの登録の要求を入力するアカウント管理部と、ユーザにより入力されるアカウントを用いて前記管理システムへのログインを管理するログイン管理部と、前記ユーザのアカウントを複数登録し、前記被管理対象の管理形態を指定する設定データ、および前記設定データに基づいて被管理対象の管理を実行して得られた計測データを前記アカウントに関連付けてそれぞれ管理するデータ管理部と、を備えたことを特徴とする管理システム。
【請求項７】
請求項６に記載の管理システムにおいて、前記アカウント管理部が、ユーザからアカウントの削除の要求を入力し、前記データ管理部が、前記アカウントを削除するとともに、前記アカウントに関連付けて管理されている設定データおよび計測データも削除する、ことを特徴とする管理システム。
【請求項８】
請求項６または７に記載の管理システムにおいて、前記アカウント管理部が、ユーザから管理者用のアカウントを入力し、予め格納されている管理者アカウントを前記データ管理部から読み出して合致するか否かを判断し、合致した場合には、前記データ管理部が、管理者権限の無い一般のユーザのアカウントを新規に追加、または既に管理されているアカウントを修正若しくは削除する、ことを特徴とする管理システム。
【請求項９】
請求項６から８のいずれか一項に記載の管理システムにおいて、さらに、ユーザからアカウントを用いて設定データを入力する管理操作設定部を備え、前記管理データ管理部が、前記設定データを新規の設定データとして前記アカウントに関連付けて追加し、または既に前記アカウントに関連付けて管理されている設定データを修正し、前記追加または修正された設定データに基づいて被管理対象の管理を実行して得られた計測データを前記アカウントに関連付けて管理する、ことを特徴とする管理システム。
【請求項１０】
請求項６から９のいずれか一項に記載の管理システムにおいて、さらに、ユーザからアカウントを用いて計測データの画面表示の要求を入力する画面表示要求部と、前記アカウントに関連付けて管理されている計測データを前記データ管理部から検索してユーザ画面に表示する画面表示部と、を備えたことを特徴とする管理システム。
【請求項１１】
アプリケーション、サービス、コンピュータ装置、ネットワーク機器などの被管理対象を管理する処理を管理システムを構成するコンピュータに実行させる管理プログラムであって、該管理システムを操作可能なユーザのアカウントを複数用意する処理と、前記被管理対象の管理形態を指定する設定データを前記アカウント毎に関連付けて管理する処理と、ユーザからアカウントを入力する処理と、該アカウントに関連付けられた前記設定データに基づいて被管理対象の管理を実行する処理と、該実行の結果である計測データを前記アカウントに関連付けて管理する処理と、をコンピュータに実行させる管理プログラム。
【請求項１２】
請求項１１に記載の管理プログラムにおいて、ユーザからアカウントの削除の要求を入力する処理と、該アカウントを削除するとともに、該アカウントに関連付けて管理されている設定データおよび計測データも削除する処理と、をコンピュータに実行させる管理プログラム。
【請求項１３】
請求項１１または１２に記載の管理プログラムにおいて、ユーザから管理者用のアカウントを入力する処理と、予め格納されている管理者アカウントと合致するか否かを判断する処理と、合致した場合には、管理者権限の無い一般のユーザのアカウントを新規に追加、または既に管理されているアカウントを修正若しくは削除する処理と、をコンピュータに実行させる管理プログラム。
【請求項１４】
請求項１１から１３のいずれか一項に記載の管理プログラムにおいて、ユーザからアカウントと設定データとを入力する処理と、該設定データを新規の設定データとして前記アカウントに関連付けて追加し、または既に前記アカウントに関連付けて管理されている設定データを修正する処理と、前記追加または修正された設定データに基づいて被管理対象の管理を実行する処理と、該実行の結果である計測データを前記アカウントに関連付けて管理する処理と、をコンピュータに実行させる管理プログラム。
【請求項１５】
請求項１１から１４のいずれか一項に記載の管理プログラムにおいて、ユーザからアカウントと計測データの画面表示の要求とを入力する処理と、前記アカウントに関連付けて管理されている計測データを検索してユーザ画面に表示する処理と、をコンピュータに実行させる管理プログラム。
【請求項１６】
請求項１１から１５のいずれか一項に記載の管理プログラムを記録した記録媒体。
【発明の詳細な説明】
【０００１】
【発明の属する技術分野】
本発明は、アプリケーションやサービスを管理する管理システム、またはコンピュータ装置やネットワーク機器を管理する管理システムに関わり、特に、操作用のアカウントを用いて管理操作を行うデータ管理方法および管理システムに関する。
【０００２】
【従来の技術】
従来、アプリケーションやサービスを管理する管理システム、またはコンピュータ装置やネットワーク機器を管理する管理システムにおいて、当該管理システムを操作するためのアカウントには、以下の態様があった。（１）アカウントが存在しない。（２）管理システムがインストールされているコンピュータ装置のオペレーティング・システムで用いられている特定の１つのアカウントが存在し、当該アカウントにより管理システムを起動し操作する。（３）オペレーティング・システムで用いられているアカウントとは無関係の１つのアカウントが用意されており、当該アカウントにより管理システムを起動し操作する。
このように、管理システムを操作するためには１つのアカウントが必要であり、複数のアカウントを用いることは考慮されていなかった（例えば、非特許文献１参照。）。
【０００３】
【非特許文献１】
“ＨＰ  ＯｐｅｎＶｉｅｗ  ネットワークノードマネージャインストールガイド（Ｓｏｌａｒｉｓ）”、第９−１０頁、［ｏｎｌｉｎｅ］、２００２年６月、日本ヒューレット・パッカード株式会社、［平成１５年４月１６日検索］、インターネット＜ＵＲＬ：ｈｔｔｐ：／／ｗｗｗ．ｊｐｎ．ｈｐ．ｃｏｍ／ｂｉｚ／ｐｒｏｄｕｃｔｓ／ｍａｎｕａｌ／ｏｐｅｎｖｉｅｗ／ｐｄｆ／ｊ１２４０−９００７９．ｐｄｆ＞
【０００４】
【発明が解決しようとする課題】
しかしながら、従来の管理システムでは、操作を行う複数のユーザが存在する場合には、ユーザ毎に異なる設定データを保持することができず、設定の結果得られた計測データもユーザ毎に管理することができないという問題があった。また、各種の設定データおよび計測データは、管理システム全体で１セットのみしか存在しなかったため、観点の異なるユーザの意向を反映したデータの設定および計測データの収集を実現することができないという問題があった。
【０００５】
本発明は、かかる事情に鑑みてなされたものであり、その目的は、一つの管理システムに対して、複数のユーザの異なる要求を同時に満たすことのできるデータ管理方法、管理システム、管理プログラム、および該プログラムを記録した記録媒体を提供することにある。
【０００６】
【課題を解決するための手段】
請求項１の発明は、アプリケーション、サービス、コンピュータ装置、ネットワーク機器などの被管理対象を管理する管理システムに用いるデータ管理方法において、該管理システムを操作可能なユーザのアカウントを複数用意し、前記被管理対象の管理形態を指定する設定データを前記アカウント毎に関連付けて管理し、ユーザによりアカウントが入力されると、該アカウントに関連付けられた前記設定データに基づいて被管理対象の管理を実行し、該実行の結果である計測データを前記アカウントに関連付けて管理することを特徴とする。
【０００７】
請求項２の発明は、請求項１に記載のデータ管理方法において、ユーザによりアカウントの削除の要求が入力されると、該アカウントを削除するとともに、該アカウントに関連付けて管理されている設定データおよび計測データも削除することを特徴とする。
【０００８】
請求項３の発明は、請求項１または２に記載のデータ管理方法において、ユーザにより管理者用のアカウントが入力されると、予め格納されている管理者アカウントと合致するか否かを判断し、合致した場合には、管理者権限の無い一般のユーザのアカウントを新規に追加、または既に管理されているアカウントを修正若しくは削除することを特徴とする。
【０００９】
請求項４の発明は、請求項１から３のいずれか一項に記載のデータ管理方法において、ユーザによりアカウントを用いて設定データが入力されると、該設定データを新規の設定データとして前記アカウントに関連付けて追加し、または既に前記アカウントに関連付けて管理されている設定データを修正し、前記追加または修正された設定データに基づいて被管理対象の管理を実行し、該実行の結果である計測データを前記アカウントに関連付けて管理することを特徴とする。
【００１０】
請求項５の発明は、請求項１から４のいずれか一項に記載のデータ管理方法において、ユーザによりアカウントを用いて計測データの画面表示の要求が入力されると、前記アカウントに関連付けて管理されている計測データを検索してユーザ画面に表示することを特徴とする。
【００１１】
請求項６の発明は、アプリケーション、サービス、コンピュータ装置、ネットワーク機器などの被管理対象を管理する管理システムにおいて、該管理システムを操作可能なユーザのアカウントの登録の要求を入力するアカウント管理部と、ユーザにより入力されるアカウントを用いて前記管理システムへのログインを管理するログイン管理部と、前記ユーザのアカウントを複数登録し、前記被管理対象の管理形態を指定する設定データ、および前記設定データに基づいて被管理対象の管理を実行して得られた計測データを前記アカウントに関連付けてそれぞれ管理するデータ管理部とを備えたことを特徴とする。
【００１２】
請求項７の発明は、請求項６に記載の管理システムにおいて、前記アカウント管理部が、ユーザからアカウントの削除の要求を入力し、前記データ管理部が、前記アカウントを削除するとともに、前記アカウントに関連付けて管理されている設定データおよび計測データも削除することを特徴とする。
【００１３】
請求項８の発明は、請求項６または７に記載の管理システムにおいて、前記アカウント管理部が、ユーザから管理者用のアカウントを入力し、予め格納されている管理者アカウントを前記データ管理部から読み出して合致するか否かを判断し、合致した場合には、前記データ管理部が、管理者権限の無い一般のユーザのアカウントを新規に追加、または既に管理されているアカウントを修正若しくは削除することを特徴とする。
【００１４】
請求項９の発明は、請求項６から８のいずれか一項に記載の管理システムにおいて、さらに、ユーザからアカウントを用いて設定データを入力する管理操作設定部を備え、前記管理データ管理部が、前記設定データを新規の設定データとして前記アカウントに関連付けて追加し、または既に前記アカウントに関連付けて管理されている設定データを修正し、前記追加または修正された設定データに基づいて被管理対象の管理を実行して得られた計測データを前記アカウントに関連付けて管理することを特徴とする。
【００１５】
請求項１０の発明は、請求項６から９のいずれか一項に記載の管理システムにおいて、さらに、ユーザからアカウントを用いて計測データの画面表示の要求を入力する画面表示要求部と、前記アカウントに関連付けて管理されている計測データを前記データ管理部から検索してユーザ画面に表示する画面表示部とを備えたことを特徴とする。
【００１６】
また、請求項１１から１５の発明は、コンピュータに、それぞれ対応する前記請求項６から１０の管理システムの各部における処理を実行させるための管理プログラムである。
【００１７】
また、請求項１６の発明は、請求項１１から１５のいずれか一項に記載の管理プログラムを記録した記録媒体である。
【００１８】
【発明の実施の形態】
以下、図面を参照して、本発明の実施の形態について詳細に説明する。
図１は、本発明の実施の形態に係るデータ管理方法を備えた管理システム、および被管理対象を含むシステム全体を説明する構成図である。本システムは、管理システム１と、管理システム１によって管理される被管理対象７Ａ，７Ｂ，７Ｃ〜７Ｎとから構成される。被管理対象７Ａ，７Ｂ，７Ｃ〜７Ｎは、コンピュータ装置、コンピュータ装置上で稼動するアプリケーションやサービス、またはネットワーク機器などであり、管理システム１は、その実行性能や設定を管理する。
【００１９】
管理システム１は、ログイン管理部２と、アカウント管理部３と、管理操作設定部４と、データ管理部５と、管理操作実行部６とを備えている。データ管理部５は、アカウントデータ５１と、被管理対象データ５２と、設定データ５３と、測定データ５４とを管理している。
【００２０】
まず、図２に示す動作フロー図を用いて、管理システム１の起動時における動作を説明する。
管理システム１が起動すると、管理システム１の管理操作設定部４は、現在、管理を行う対象として登録されている被管理対象データおよび設定されている全ての設定データを取得するための指示を、データ管理部５に出力する（ステップＳ１）。
【００２１】
ここで、被管理対象データとは、被管理対象７Ａ〜７ＮへアクセスするためのＩＰアドレス、ポート番号、またはアプリケーションやサービスを特定するためのアプリケーション名などの情報である。また、設定データとは、管理システム１の操作画面を定義するための画面配置情報や、被管理対象７Ａ〜７Ｎにおいてどの項目をどのように管理するかなどを指定するデータであり、例えば、操作画面における配色や項目の配置場所、被管理対象７Ａのメモリ使用量を１０分間隔で取得するなどのデータである。また、この設定データは、各アカウントに関連付けて管理されている。
【００２２】
設定データを各アカウントに関連付けて管理する方法には、例えば、データ管理部５にリレーショナル・データベースシステムを用いるものがある。この方法では、アカウントの値をキーとして設定データを関連付けることにより、管理を実現することができる。
【００２３】
ステップ１における指示は、特定のユーザのアカウントに付随するデータのみを取得するための指示ではない。例えば、アカウントＡに対し、被管理対象７Ａのメモリ使用量を１０分間隔で取得する設定がされており、アカウントＢに対し、被管理対象７Ｂのアクセス数を３０分間隔で取得する設定がされていた場合には、これらの設定データの全てを取得するように出力される指示をいう。
【００２４】
データ管理部５は、管理操作設定部４からの指示に従い、被管理対象データおよび設定データを取得し、これらのデータを管理操作設定部４に返答する（ステップＳ２）。管理操作設定部４は、返答された被管理対象データおよび設定データを、管理システム１に反映する（ステップＳ３）。次に、管理操作設定部４は、被管理対象データおよび設定データに基づいて、管理操作の指示を管理操作実行部６に出力する（ステップＳ４）。例えば、上述の例のように、アカウントＡに対し、被管理対象７Ａのメモリ使用量を１０分間隔で取得する設定がされており、アカウントＢに対し、被管理対象７Ｂのアクセス数を３０分間隔で取得する設定がされていた場合には、管理操作設定部４は、これらの設定データに基づいて、被管理対象７Ａのメモリ使用量を取得する管理操作の実行指示を１０分間隔で、被管理対象７Ｂのアクセス数を取得する管理操作の実行指示を３０分間隔で、それぞれ管理操作実行部６に出力する。
【００２５】
管理操作実行部６は、管理操作設定部４からの指示に従い、被管理対象７Ａ〜７Ｎに対して管理操作を実行する（ステップＳ５）。被管理対象７Ａ〜７Ｎは、実行結果を管理操作実行部６に応答する（ステップＳ６）。管理操作実行部６は、当該実行結果を蓄積するための指示をデータ管理部５に出力する（ステップＳ７）。データ管理部５は、設定データに関連付けられているアカウント情報を基に、当該実行結果を各アカウント情報に関連付けて測定データとして蓄積し、管理する（ステップＳ８）。上述した例のように、設定データの内容に繰り返しの指定がされている場合には、ステップ４からステップ８までの処理は、その設定データの内容に従って、繰り返し実行される。
【００２６】
この計測データも設定データと同様に、各アカウントに関連付けて管理されている。測定データを各アカウントに関連付けて管理する方法には、例えば、データ管理部５にリレーショナル・データベースシステムを用いるものがある。この方法では、アカウントの値をキーとして測定データを関連付けることにより、管理を実現することができる。
【００２７】
このように、設定データおよび計測データは、あるアカウントに関連付けて管理されている。例えば、データ管理部５にリレーショナル・データベースシステムが用いられている場合は、アカウントの値をキーとして設定データおよび計測データを関連付けて管理している。アカウントが不要になり、そのアカウントを削除するときは、そのアカウントの削除とともに、それをキーとして関連付けられている設定データおよび計測データも一緒に削除することにより、削除するアカウントに付随する不要なデータも一緒に削除することができる。
【００２８】
次に、図３に示す動作フロー図を用いて、アカウントの追加作業時における管理システム１の動作を説明する。
本実施の形態では、管理システム１を操作可能なユーザのアカウント情報の追加、編集、削除を実行できる管理者用の管理者アカウントを用意する。この管理者アカウントは、データ管理部５のアカウントデータ５１に、管理者用としての属性を持って管理されているものとする。
【００２９】
まず、管理者ユーザは、管理システム１を操作するために、管理システム１に管理者アカウントを入力する（ステップＳ１１）。ログイン管理部２は、入力されたアカウント情報を受け取り、当該アカウント情報がアカウントデータ５１に蓄積されている管理者アカウントに合致するかも問い合わせを、データ管理部５に出力する（ステップＳ１２）。データ管理部５は、アカウントデータ５１に蓄積されている管理者アカウントと照合し（ステップＳ１３）、管理者アカウントと合致した場合には、合致したことをログイン管理部２に出力する（ステップＳ１４）。なお、図３には示してないが、データ管理部５は、管理者アカウントと合致しなかった場合には、合致しなかったことをログイン管理部２に出力する。この場合、ログインは却下され、管理者ユーザは、管理システム１にログインできず、以降の操作はできない。
【００３０】
ログイン管理部２は、管理者アカウントが合致したことを受けると、管理者ユ−ザに対して、ログインを許可する（ステップＳ１５）。管理者ユーザは、これを受けて、ログインが成功し、以降の操作が可能になったことを認識する（ステップＳ１６）。管理者ユーザは、追加する新規のアカウント情報を入力し（ステップＳ１７）、当該アカウント情報は、アカウント管理部３に出力される。アカウント管理部３は、新規アカウントの追加処理を実施するための指示を、データ管理部５に出力する（ステップＳ１８）。データ管理部５は、アカウントデータ５１に、新規アカウント情報を追加し、蓄積する（ステップＳ１９）。アカウント管理部３は、新規アカウントの追加処理が終了したことを、管理者ユーザに伝える（ステップＳ２０）。
【００３１】
以上、新規アカウントの追加の動作について図３を用いて説明したが、図３に示した一連の処理は、既存アカウント情報の修正や削除についても、同様に適用される。
【００３２】
次に、図４に示す動作フロー図を用いて、管理者ではないユーザが管理システム１にログインする時の動作を説明する。
上述した管理者ユーザの場合と同様に、まず、ユーザは、管理システム１を操作するために、管理システム１にアカウントを入力する（ステップＳ２１）。ログイン管理部２は、入力されたアカウント情報を受け取り、当該アカウント情報がアカウントデータ５１に蓄積されている既存アカウントに合致するかの問い合わせを、データ管理部５に出力する（ステップＳ２２）。データ管理部５は、アカウントデータ５１に蓄積されている管理者アカウントと照合し（ステップＳ２３）、既存アカウントと合致した場合には、合致したことをログイン管理部２に出力する（ステップＳ２４）。なお、図４には示してないが、データ管理部５は、既存アカウントと合致しなかった場合には、合致しなかったことをログイン管理部２に出力する。この場合、ログインは却下され、ユーザは、管理システム１にログインできず、以降の操作はできない。
【００３３】
ログイン管理部２は、アカウントが合致したことを受けると、ユ−ザに対して、ログインを許可する（ステップＳ２５）。ユーザは、これを受けて、ログインが成功し、以降の操作が可能になったことを認識する（ステップＳ２６）。ログイン管理部２は、ステップ２５の処理と並行して、管理操作設定部４に対しても、ユーザのログインが許可されたことを出力する（ステップＳ２７）。管理操作設定部４は、これを受けて、ログインしたユーザにアカウントに関連付けられている設定データの取得指示を、データ管理部５に出力する（ステップＳ２８）。データ管理部５は、管理操作設定部４からの指示に従い、設定データを取得し、当該データを管理操作設定部４に返答する（ステップＳ２９）。管理操作設定部４は、返答された設定データを管理システム１に反映する（ステップＳ３０）。ここで、取得され、管理システム１に反映される設定データの内容は、図２のステップ１およびステップ２における管理システム１の起動時に取得され反映される設定データの内容と異なる。ここでの設定データは、例えば、ユーザＣがログインした場合、ユーザＣ用の操作画面を定義するための画面配置情報などである。
【００３４】
次に、図５に示す動作フロー図を用いて、管理システム１を操作するユーザが管理操作を実行するための設定を行う時の動作を説明する。本説明においては、ユーザは、図４に示した動作フローに従って、すでにログイン済みであるものとする。
ログインしたユーザは、管理システム１の操作用の画面などを用いて、新規の設定または既存の設定の変更を行う要求を、管理操作設定部４に出力する（ステップＳ４１）。これらの設定は、上述したように、例えば、被管理対象７Ｂのディスク空き容量を取得する設定、ある管理項目に対する閾値の設定、または画面の配置や配色などの設定である。
【００３５】
管理操作設定部４は、新規の設定または既存の設定の変更を行う要求を受けると、当該要求に従い、新規設定データの書き込みまたは既存設定データの修正の指示を、データ管理部５に出力する（ステップＳ４２）。データ管理部５は、当該指示に従い、設定データ５３を更新し（ステップＳ４３）、当該更新が成功したことを管理操作設定部４に出力する（ステップＳ４４）。管理操作設定部４は、更新された設定データに基づいて、管理操作の実行の指示を管理操作実行部６に出力する（ステップＳ４５）。
【００３６】
例えば、新規の設定として、被管理対象７Ｂのディスク空き容量の取得を１時間間隔で実施する管理操作を設定した場合には、管理操作設定部４は、１時間間隔で当該管理操作を実行する指示を出力する。また、例えば、被管理対象７Ａのメモリ使用量を１０分間隔で取得する管理操作の設定を２０分間隔に変更した場合には、管理操作設定部４は、１０分間隔で出力していた管理操作の指示を２０分間隔で出力するように変更する。
【００３７】
管理操作実行部６は、管理操作設定部４からの指示に従い、被管理対象７Ａ〜７Ｎに対して管理操作を実行する（ステップＳ４６）。被管理対象７Ａ〜７Ｎは、実行結果を管理操作実行部６に応答する（ステップＳ４７）。管理操作実行部６は、当該実行結果を蓄積するための指示をデータ管理部５に出力する（ステップＳ４８）。データ管理部５は、設定データに関連付けられているアカウント情報を基に、当該実行結果を各アカウント情報に関連付けて計測データとして蓄積し、管理する（ステップＳ４９）。設定データの内容に繰り返しの指定がされている場合には、ステップ４からステップ８までの処理は、その設定データの内容に従って、繰り返し実行される。
【００３８】
次に、図６に示す動作フロー図を用いて、管理システム１を操作するユーザがデータ管理部５に蓄積された測定データ５４を参照する時の動作を説明する。本説明においては、ユーザは、図４に示した動作フローに従って、すでにログイン済みであるものとする。
ログインしたユーザは、管理システム１の操作用の画面などを用いて、参照したい計測データを指定する（ステップＳ５１）。すなわち、図１および６において図示しない画面表示要求部は、ユーザから参照したい計測データの画面表示の要求を受け付ける。前記指定は、管理システム１内に保持されている当該ユーザのアカウント情報とともに、データ管理部５に出力される（ステップＳ５２）。管理システム１におけるアカウント情報の保持は、例えば、操作用の画面がＷｅｂブラウザであった場合には、Ｗｅｂブラウザ画面を生成する際に、ヒドュン・パラメータ（ｈｉｄｄｅｎ  ｐａｒａｍｅｔｅｒ）として画面に表示されない形式で埋め込んだ当該パラメータを、ステップ５１の指示の際に一緒に出力する方法により実現することができる。
【００３９】
データ管理部５は、当該指示に従い、出力されたアカウント情報および参照したい計測データの情報を基に、測定データ５４に蓄積されている計測データを検索し、ユーザの操作画面などに返答する（ステップＳ５３）。図１および６において図示しない画面表示部は、前記検索された計測データをユーザ画面に表示する。
【００４０】
以上、実施の形態を挙げて説明したが、本発明は上記実施の形態に限定されるものではなく、特許請求の範囲において種々の変更や応用が可能である。
【００４１】
また、管理システム１は、ログイン管理部２、アカウント管理部３、管理操作設定部４、データ管理部５、管理操作実行部６、画面表示要求部、および画面表示部の処理をそれぞれ実行するソフトウェアを組み込んだコンピュータによって構成される。このソフトウェアは、コンピュータに実行させることのできるプログラムとして、磁気ディスク（フロッピィーディスク、ハードディスク等）、光ディスク（ＣＤ−ＲＯＭ、ＤＶＤ等）、半導体メモリなどの記憶媒体に格納して頒布することもできる。
【００４２】
【発明の効果】
以上説明したように、本発明によれは、アプリケーションやサービスを管理する管理システム、またはコンピュータ機器やネットワーク機器を管理する管理システムなどにおいて、複数のユーザのアカウントを定義することができ、ユーザ毎に異なる設定データを保持することができる。また、設定データに基づいて、被管理対象の管理を実行した結果得られた計測データもユーザ毎に管理することができる。さらに、管理したい項目などの管理上の観点が異なったり、画面上の表示構成などの操作上の趣味が異なるユーザが複数存在する場合において、これらの違いをユーザのアカウント単位で区別して提供することができる。このため、１つの管理システムで、複数のユーザの異なる要求を同時に満たすことのできる管理システムの構築が可能となる。
【図面の簡単な説明】
【図１】本発明の実施の形態に係るデータ管理方法を備えた管理システム、および被管理対象を含むシステム全体を説明する構成図である。
【図２】管理システムの起動時における動作を説明する動作フロー図である。
【図３】アカウントの追加時における管理システムの動作を説明する動作フロー図である。
【図４】ログイン時における管理システムの動作を説明する動作フロー図でる。
【図５】管理操作の設定時における管理システムの動作を説明する動作フロー図である。
【図６】測定データ参照時における管理システムの動作を説明する動作フロー図である。
【符号の説明】
１  管理システム
２  ログイン管理部
３  アカウント管理部
４  管理操作設定部
５  データ管理部
６  管理操作実行部
７Ａ，７Ｂ，７Ｃ〜７Ｎ  被管理対象
５１  アカウントデータ
５２  被管理対象データ
５３  設定データ
５４  測定データ
【図１】
2004341628.tif 000003
【図２】
2004341628.tif 000004
【図３】
2004341628.tif 000005
【図４】
2004341628.tif 000006
【図５】
2004341628.tif 000007
【図６】
2004341628.tif 000008